(57)【特許請求の範囲】
【請求項１】
互いに波長が異なる複数の光を同時に射出することができる少なくとも１つのレーザ光源と、
前記少なくとも１つのレーザ光源からの光が入射され、該入射光を、印加電圧に応じて第１の面内で偏向する第１の偏向部と、前記第１の面に交差する第２の面内において、前記第１の偏向部を通過した光を該光の波長に応じて偏向するグレーティングを含む第２の偏向部と、を有する光偏向素子と、
前記光偏向素子の第１の偏向部に印加する電圧を制御する電圧制御装置と、を含むレーザ装置と；
前記レーザ装置から射出され、物体で反射された光を波長毎に分離する分離部と、該分離部で分離された複数の光を個別に受光する複数の受光部とを含む受光器と；
前記レーザ装置からの光の射出方向及び前記複数の受光部での出力信号に基づいて、前記物体の位置情報を求める信号処理装置と；を備えるセンシング装置。
【請求項２】
前記第１の偏向部と前記第２の偏向部は、同一基板上に配置されていることを特徴とする請求項１に記載のセンシング装置。
【請求項３】
前記第１の偏向部は、周期分極反転構造を有する構造体、及び該構造体に電圧を印加するための電極を有することを特徴とする請求項１又は２に記載のセンシング装置。
【請求項４】
前記少なくとも１つのレーザ光源は、互いに波長が異なる光を射出する複数のレーザ光源であることを特徴とする請求項１〜３のいずれか一項に記載のセンシング装置。
【請求項５】
前記複数のレーザ光源を１つずつ順次点灯させる光源制御装置を更に備えることを特徴とする請求項４に記載のセンシング装置。
【請求項６】
前記複数のレーザ光源を同時に点灯させる光源制御装置を更に備えることを特徴とする請求項４に記載のセンシング装置。
【請求項７】
前記物体の位置情報を表示する表示装置を更に備えることを特徴とする請求項１〜６のいずれか一項に記載のセンシング装置。
【請求項８】
前記物体の位置情報を保存するメモリを更に備えることを特徴とする請求項１〜７のいずれか一項に記載のセンシング装置。
【請求項９】
車両に搭載され、
前記物体の位置情報に基づいて危険があると判断すると、アラーム情報を出力する監視制御装置を更に備えることを特徴とする請求項１〜８のいずれか一項に記載のセンシング装置。
【請求項１０】
前記分離部は、バンドパスフィルタを含むことを特徴とする請求項１〜９のいずれか一項に記載のセンシング装置。
【請求項１１】
前記分離部は、回折格子を含むことを特徴とする請求項１〜９のいずれか一項に記載のセンシング装置。
【請求項１２】
前記分離部は、プリズムを含むことを特徴とする請求項１〜９のいずれか一項に記載のセンシング装置。
【発明の詳細な説明】
【技術分野】
【０００１】
本発明は、センシング装置に係り、さらに詳しくは、入射光を互いに交差する２つの面内で個別に偏向することができる光偏向素子を含むレーザ装置を備えるセンシング装置に関する。
【背景技術】
【０００２】
従来、光を偏向する光偏向器として、ガルバノミラー、ポリゴンミラー、音響光学素子及び電気光学素子などを使ったものが知られている。
【０００３】
ガルバノミラーを使った光偏向器は、高速での光走査が困難であるという不都合があった。
【０００４】
ポリゴンミラーを使った光偏向器は、高速での光走査が可能で、偏向角を大きくとれるという利点があるが、機械的な部分を有するため、振動や光学系の大型化が避けられなかった。
【０００５】
それに対し、音響光学素子及び電気光学素子を使った光偏向器は、機械的な部分を有していないため、振動や大型化の問題は生じない。
【０００６】
例えば、特許文献１には、基板上に形成された薄膜光導波路における音響光学効果と熱光学効果を利用して光の進行方向を２次元的に制御する２次元光偏向器が開示されている。
【０００７】
また、特許文献２には、基板上に形成された薄膜光導波路における音響光学効果、電気光学効果、及び熱光学効果を利用して光の進行方向を２次元的に制御する２次元光偏向器が開示されている。
【０００８】
また、特許文献３には、電気光学効果を有する光導波路と出射用プリズムとを有し、光ビームを第１の方向、及び第１の方向と交差する第２の方向に偏向する光偏向素子が開示されている。
【発明の概要】
【発明が解決しようとする課題】
【０００９】
しかしながら、特許文献１及び特許文献２に開示されている２次元光偏向器では、光導波路面内とは異なる方向への偏向角、すなわち射出角の変化量が極めて小さいという不都合があった。
【００１０】
また、特許文献３に開示されている光偏向素子では、高価なプリズムが必要となり、高コスト化を招くという不都合があった。また、プリズムの位置合わせを高精度に行う必要があるため、調整作業に時間がかかるという不都合があった。さらに、素子の集積化に適していないため、小型化が困難であるという不都合があった。
【００１３】
また、本発明の目的は、大型化及び高コスト化を招くことなく、広い範囲をセンシングすることができるセンシング装置を提供することにある。
【課題を解決するための手段】
【００１８】
本発明は、互いに波長が異なる複数の光を同時に射出することができる少なくとも１つのレーザ光源と、前記少なくとも１つのレーザ光源からの光が入射され、該入射光を、印加電圧に応じて第１の面内で偏向する第１の偏向部と、前記第１の面に交差する第２の面内において、前記第１の偏向部を通過した光を該光の波長に応じて偏向するグレーティングを含む第２の偏向部と、を有する光偏向素子と、前記光偏向素子の第１の偏向部に印加する電圧を制御する電圧制御装置と、を含むレーザ装置と；前記レーザ装置から射出され、物体で反射された光を波長毎に分離する分離部と、該分離部で分離された複数の光を個別に受光する複数の受光部とを含む受光器と；前記レーザ装置からの光の射出方向及び前記複数の受光部での出力信号に基づいて、前記物体の位置情報を求める信号処理装置と；を備えるセンシング装置である。
【００１９】
これによれば、大型化及び高コスト化を招くことなく、広い範囲をセンシングすることができる。
【図面の簡単な説明】
【００２０】
【図１】本発明の一実施形態に係るレーザレーダを搭載した車両の外観図である。
【図２】本発明の一実施形態に係る前方監視装置の構成を説明するためのブロック図である。
【図３】レーザレーダの構成を説明するためのブロック図である。
【図４】図３における光源装置の構成を説明するためのブロック図である。
【図５】λ１、λ２、λ３の関係を説明するための図である。
【図６】図３における光偏向素子の構造を説明するための図である。
【図７】コア層における周期分極反転構造体及びグレーティングを説明するための図である。
【図８】グレーティングの凹凸を説明するための図である。
【図９】図９（Ａ）〜図９（Ｄ）は、それぞれ、光偏向素子の製造方法を説明するための図（その１）である。
【図１０】図１０（Ａ）〜図１０（Ｃ）は、それぞれ、光偏向素子の製造方法を説明するための図（その２）である。
【図１１】図１１（Ａ）〜図１１（Ｃ）は、それぞれ、光偏向素子の製造方法を説明するための図（その３）である。
【図１２】図１２（Ａ）〜図１２（Ｃ）は、それぞれ、光偏向素子の製造方法を説明するための図（その４）である。
【図１３】図１３（Ａ）〜図１３（Ｃ）は、それぞれ、光偏向素子の製造方法を説明するための図（その５）である。
【図１４】光偏向素子に入射する光束を説明するための図である。
【図１５】電圧制御装置からの電圧の印加を説明するための図である。
【図１６】図１６（Ａ）及び図１６（Ｂ）は、それぞれ、ＸＹ平面内での光束の偏向を説明するための図であり、図１６（Ｃ）は、ＸＹ平面内での光束の偏向角を説明するための図である。
【図１７】グレーティングによる偏向を説明するための図である。
【図１８】センシング制御装置による各半導体レーザの駆動制御を説明するための図である。
【図１９】光偏向素子から射出される各光束の偏向面を説明するための図である。
【図２０】音声・警報発生装置の構成を説明するためのブロック図である。
【図２１】センシング制御装置による各半導体レーザの駆動制御の変形例を説明するための図である。
【図２２】図２１に対応した受光器の例１を説明するための図である。
【図２３】図２１に対応した受光器の例２を説明するための図である。
【図２４】図２１に対応した受光器の例３を説明するための図である。
【図２５】光源装置の変形例１を説明するための図である。
【図２６】光源装置の変形例２を説明するための図である。
【発明を実施するための形態】
【００２１】
以下、本発明の一実施形態を図１〜図２０に基づいて説明する。図１には、一実施形態に係るセンシング装置としての車載用のレーザレーダ２０を搭載した車両１の外観が示されている。
【００２２】
レーザレーダ２０は、一例として、車両１の前方のナンバープレート近傍に取り付けられている。なお、本明細書では、ＸＹＺ３次元直交座標系において、重力方向をＺ軸方向、車両１の前進方向を＋Ｘ方向として説明する。
【００２３】
車両１の車内には、一例として図２に示されるように、表示装置３０、主制御装置４０、メモリ５０、及び音声・警報発生装置６０などを備えている。これらは、バス７０を介して電気的に接続されている。
【００２４】
ここでは、レーザレーダ２０、表示装置３０、主制御装置４０、メモリ５０、及び音声・警報発生装置６０によって、前方監視装置１０が構成されている。
【００２５】
レーザレーダ２０は、一例として図３に示されるように、光源装置２２０、電圧制御装置２３０、光偏向素子２４０、センシング制御装置３００、及び受光器３５０などを有している。
【００２６】
ここでは、光源装置２２０は、一例として図４に示されるように、３つの半導体レーザ（２２１ａ、２２１ｂ、２２１ｃ）、３つのカップリングレンズ（２２３ａ、２２３ｂ、２２３ｃ）、反射ミラー２２５ａ、２つの波長フィルタ（２２５ｂ、２２５ｃ）、及びシリンドリカルレンズ２２７を有している。
【００２７】
半導体レーザ２２１ａは、波長λ３のレーザ光を＋Ｚ方向に射出する。
【００２８】
半導体レーザ２２１ｂは、半導体レーザ２２１ａの＋Ｘ側に配置され、波長λ２のレーザ光を＋Ｚ方向に射出する。
【００２９】
半導体レーザ２２１ｃは、半導体レーザ２２１ｂの＋Ｘ側に配置され、波長λ１のレーザ光を＋Ｚ方向に射出する。
【００３０】
ここでは、一例として、λ１＝７４０ｎｍ、λ２＝７８０ｎｍ、λ３＝８２０ｎｍとしている。すなわち、λ１＜λ２＜λ３である（図５参照）。
【００３１】
カップリングレンズ２２３ａは、半導体レーザ２２１ａから射出された光束の光路上に配置され、該光束を略平行光とする。
【００３２】
カップリングレンズ２２３ｂは、半導体レーザ２２１ｂから射出された光束の光路上に配置され、該光束を略平行光とする。
【００３３】
カップリングレンズ２２３ｃは、半導体レーザ２２１ｃから射出された光束の光路上に配置され、該光束を略平行光とする。
【００３４】
以下では、便宜上、半導体レーザ２２１ａから射出された光束を「光束Ａ」、半導体レーザ２２１ｂから射出された光束を「光束Ｂ」、半導体レーザ２２１ｃから射出された光束を「光束Ｃ」という。
【００３５】
反射ミラー２２５ａは、カップリングレンズ２２３ａを介した光束Ａの光路上に配置され、該光束を＋Ｘ方向に反射する。
【００３６】
波長フィルタ２２５ｂは、反射ミラー２２５ａの＋Ｘ側であって、かつカップリングレンズ２２３ｂを介した光束Ｂの光路上に配置され、該光束Ｂを＋Ｘ方向に反射し、反射ミラー２２５ａで反射された光束Ａを透過させる。この波長フィルタ２２５ｂとして、波長５００ｎｍ〜９００ｎｍにおいて、波長８００ｎｍ以上の光を透過させ、それ未満の波長の光を反射する多層膜フィルタを用いることができる。
【００３７】
波長フィルタ２２５ｃは、波長フィルタ２２５ｂの＋Ｘ側であって、かつカップリングレンズ２２３ｃを介した光束Ｃの光路上に配置され、該光束Ｃを＋Ｘ方向に反射し、波長フィルタ２２５ｂを介した光束Ａ及び光束Ｂを透過させる。この波長フィルタ２２５ｃとして、波長７６０ｎｍ以上の光を透過させ、それ未満の波長の光を反射する多層膜フィルタを用いることができる。
【００３８】
シリンドリカルレンズ２２７は、波長フィルタ２２５ｃの＋Ｘ側に配置され、Ｚ軸方向に関して、波長フィルタ２２５ｃを介した光束Ａ、光束Ｂ及び光束Ｃを集束する。
【００３９】
図３に戻り、光偏向素子２４０は、光源装置２２０の＋Ｘ側に配置されている。
【００４０】
この光偏向素子２４０は、一例として図６に示されるように、基板２４１、接着剤層２４２、下部電極２４３、下部クラッド層２４４、コア層２４５、上部クラッド層２４６、及び上部電極２４７などから構成されている。
【００４１】
コア層２４５は、ＭｇＯが添加されたニオブ酸リチウム（ＬｉＮｂＯ３）結晶の厚さが約１０μｍの板状部材である。
【００４２】
このコア層２４５は、一例として図７に示されるように、Ｘ軸方向に関して、ほぼ中心から−Ｘ側端部にかけて周期分極反転構造体２５０を有している。
【００４３】
ここでは、周期分極反転構造体２５０では、自発分極の方向が互いに反対である２つの領域（２５０ａ、２５０ｂ）が、ＸＹ断面において互いに反対形状のプリズム状に形成されている。
【００４４】
また、コア層２４５は、一例として図７に示されるように、＋Ｘ側の部分に、円弧状のグレーティング２６０を有している。
【００４５】
ここでは、一例として図８に示されるように、グレーティング２６０における凹部の幅と凸部の幅は同じである。また、凹部の深さｄは、５０ｎｍである。
【００４６】
図６に戻り、上部クラッド層２４６は、厚さ２００ｎｍのＳｉＯ２の層であり、コア層２４５における周期分極反転構造体２５０の＋Ｚ側に形成されている。
【００４７】
下部クラッド層２４４は、厚さ２００ｎｍのＳｉＯ２の層であり、コア層２４５の−Ｚ側に形成されている。
【００４８】
上部電極２４７は、厚さ２００ｎｍのＣｒ（クロム）の層であり、上部クラッド層２４６の＋Ｚ側に形成されている。
【００４９】
下部電極２４３は、厚さ２００ｎｍのＣｒ（クロム）の層であり、下部クラッド層２４４の−Ｚ側に形成されている。
【００５０】
基板２４１は、ニオブ酸リチウム（ＬｉＮｂＯ３）の基板である。この基板２４１は、接着剤２４２によって、下部電極２４３と接着されている。
【００５１】
ここでは、コア層２４５及び基板２４１に同じ材料を用いているため、熱膨張の影響（はく離）を低減させることができる。
【００５２】
次に、この光偏向素子２４０の製造方法について、簡単に説明する。
【００５３】
（１）周期分極反転構造体２５０を有するコア層２４５を準備する（図９（Ａ）〜図９（Ｃ）参照）。なお、図９（Ｃ）は、図９（Ｂ）のＡ−Ａ断面図である。
【００５４】
（２）コア層２４５の一側の面に、下部クラッド層２４４を成膜する（図９（Ｄ）参照）。
【００５５】
（３）下部クラッド層２４４の表面に、下部電極２４３を成膜する（図１０（Ａ）参照）。なお、ここで下部電極２４３が成膜されたものを、以下では、便宜上、「一次積層体」という。
【００５６】
（４）基板２４１を準備し、該基板２４１の表面に接着剤２４２を塗布する（図１０（Ｂ）参照）。
【００５７】
（５）該接着剤２４２の上に、上記一次積層体を上下反転し、その下部電極２４３を下にして載置する（図１０（Ｃ）参照）。なお、基板２４１と一次積層体とが接着剤２４２によって接合されたものを、以下では、便宜上、「二次積層体」という。
【００５８】
（６）接着剤２４２が硬化すると、上記二次積層体を上下反転させ、コア層２４５の他側の面を下にする（図１１（Ａ）参照）。
【００５９】
（７）二次積層体におけるコア層２４５の他側の面を研磨し、コア層２４５の厚さを約１０μｍとする（図１１（Ｂ）参照）。
【００６０】
（８）二次積層体を上下反転させ、コア層２４５の他側の面にフォトレジシトＰＲを塗布する（図１１（Ｃ）参照）。
【００６１】
（９）電子線描画装置を用いて、フォトレジシトＰＲ上にグレーティング用のパターンを描画する。なお、露光装置を用いて、グレーティング用のパターンをフォトレジシトＰＲ表面に転写しても良い。
【００６２】
（１０）フォトレジシトＰＲに対して所定の処理を行い、エッチングマスクとする（図１２（Ａ）参照）。なお、ここでは、レジストパターンをエッチングマスクとしているが、これに限定されるものではなく、例えば、レジストパターンに金属を蒸着し、リフトオフによって金属パターンを形成し、該金属パターンをエッチングマスクとしても良い。
【００６３】
（１１）エッチングマスクを介して、コア層２４５の他側の面をドライエッチングする（図１２（Ｂ）参照）。
【００６４】
（１２）エッチングマスクを除去する（図１２（Ｃ）参照）。これにより、グレーティング２６０が形成される。
【００６５】
（１３）コア層２４５の他側の面におけるグレーティング２６０を除く部分に、上部クラッド層２４６を成膜する（図１３（Ａ）参照）。
【００６６】
（１４）上部クラッド層２４６の表面に、上部電極２４７を成膜する（図１３（Ｂ）及び図１３（Ｃ）参照）。これにより、光偏向素子２４０となる。
【００６７】
光偏向素子２４０は、光源装置２２０から射出された光束（光束Ａ、光束Ｂ及び光束Ｃ）がコア層２４５に入射するように位置決めされている（図１４参照）。
【００６８】
電圧制御装置２３０は、センシング制御装置３００の指示に基づいて、光偏向素子２４０の上部電極２４７に電圧Ｖを印加する（図１５参照）。なお、下部電極２４３は、グラウンド接続されている。
【００６９】
光偏向素子２４０の上部電極２４７に電圧が印加されると、周期分極反転構造体２５０における領域２５０ａと領域２５０ｂとの間に屈折率差が生じる。この屈折率差Δｎは、次の（１）式で示される。ここで、ｒはポッケルス定数、ｎはコア層２４５の材料の屈折率、ｄはコア層２４５の厚さ、Ｖは印加電圧である。
【００７０】
Δｎ＝−１／２・ｒ・ｎ３・Ｖ／ｄ  ……（１）
【００７１】
そこで、コア層２４５に光源装置２２０からの光束（光束Ａ、光束Ｂ及び光束Ｃ）が入射しているときに、電圧制御装置２３０から上部電極２４７に電圧が印加されると、光束は印加電圧に応じてＸＹ平面内で偏向される。
【００７２】
例えば、Ｖ＝＋１５０［Ｖ］のときは、一例として図１６（Ａ）に示されるように、光束は＋Ｙ側に偏向される。
【００７３】
また、Ｖ＝−１５０［Ｖ］のときは、一例として図１６（Ｂ）に示されるように、光束は−Ｙ側に偏向される。
【００７４】
このように、上部電極２４７に−１５０［Ｖ］〜＋１５０［Ｖ］の電圧を印加すると、ＸＹ平面内において、偏向角（ふれ角）θｘ＝１０°で光束を偏向することができる（図１６（Ｃ）参照）。なお、波長が異なることによるＸＹ平面内での偏向方向の違いは、本実施形態で使用する波長の差異ではほとんどない。
【００７５】
周期分極反転構造体２５０を通過した光束は、グレーティング２６０によって、ＸＺ平面内で偏向される。このときのＸ軸方向に対する角度θｚは、次の（２）式で示される。ここで、ｎ（ａ）はグレーティング２６０の周辺（ここでは、空気）の屈折率、Ｎはコア層２４５の実効屈折率、ｑは回折の次数、λは光束の波長、Λはグレーティング２６０の周期である。
【００７６】
ｎ（ａ）・ｓｉｎθｚ＝Ｎ＋ｑ・λ／Λ  ……（２）
【００７７】
例えば、ｎ（ａ）＝１、Ｎ＝２．２、Λ＝５５０ｎｍ、ｑ＝−１とすると、λ＝８２０ｎｍの光束では、θｚ＝４３．４°、λ＝７８０ｎｍの光束では、θｚ＝４９．５°、λ＝７４０ｎｍの光束では、θｚ＝５６．４°となる。
【００７８】
すなわち、ＸＺ平面内でＸ軸方向に対して＋Ｚ側に、光束Ａは４３．４°偏向し、光束Ｂは４９．５°偏向し、光束Ｃは５６．４°偏向する。このとき、ＸＺ平面内での偏向角（ふれ角）θ１３＝１３．０°である（図１７参照）。
【００７９】
センシング制御装置３００は、光源装置２２０の３つの半導体レーザ（２２１ａ、２２１ｂ、２２１ｃ）が順に点灯するように、それぞれの駆動信号を制御する（図１８参照）。同時に、センシング制御装置３００は、各半導体レーザの点灯タイミング及び消灯タイミングに関する情報（タイミング情報）を、電圧制御装置２３０に通知する。
【００８０】
電圧制御装置２３０は、上記タイミング情報に基づいて、印加電圧Ｖを制御する。ここでは、各半導体レーザについて、該半導体レーザが点灯している時間内に印加電圧Ｖを−１５０［Ｖ］→＋１５０［Ｖ］あるいは＋１５０［Ｖ］→−１５０［Ｖ］に変化させる。これにより、光偏向素子２４０から射出される光束を、ＸＹ平面内では偏向角（ふれ角）θｘ＝１０°で、ＸＺ平面内では偏向角（ふれ角）θ１３＝１３．０°で、２次元的に偏向することができる（図１９参照）。
【００８１】
そこで、光偏向素子２４０は、車両１の前方における広い領域に光束を射出することができる。
【００８２】
受光器３５０は、光偏向素子２４０から射出され、車両１の前方にある物体（例えば、他の車両）で反射された光束を受光する。受光器３５０は、受光量に応じた信号（光電変換信号）を生成し、センシング制御装置３００に出力する。
【００８３】
センシング制御装置３００は、そのときに点灯している半導体レーザ及びそのときの印加電圧Ｖから光束の射出方向を求め、該射出方向と受光器３５０からの信号とに基づいて、物体の大きさ、車両１に対する物体の位置などを求める。ここで得られたデータは、時間情報とともに監視データとしてメモリ５０に格納される。
【００８４】
主制御装置４０は、メモリ５０に格納されている監視データに基づいて、車両１の前方に物体があるか否か、物体があるときにその物体が移動しているか否か、該物体が移動しているときにはその移動方向及び移動速度を求める。そして、その情報を表示装置３０に表示する。
【００８５】
また、主制御装置４０は、危険があると判断すると、音声・警報発生装置６０にアラーム情報を出力する。
【００８６】
音声・警報発生装置６０は、一例として図２０に示されるように、音声合成装置６１、警報信号生成装置６２及びスピーカ６３などを有している。
【００８７】
音声合成装置６１は、複数の音声データを有しており、主制御装置４０からアラーム情報を受け取ると、対応する音声データを選択し、スピーカ６３に出力する。
【００８８】
警報信号生成装置６２は、主制御装置４０からアラーム情報を受け取ると、対応する警報信号を生成し、スピーカ６３に出力する。
【００８９】
以上の説明から明らかなように、本実施形態に係る前方監視装置１０によって、本発明のセンシング装置が構成されている。そして、センシング制御装置３００によって、本発明のセンシング装置における信号処理装置が構成されている。また、主制御装置４０と音声・警報発生装置６０とによって、本発明のセンシング装置における監視制御装置が構成されている。
【００９０】
また、光源装置２２０、電圧制御装置２３０、光偏向素子２４０、及びセンシング制御装置３００によって、本発明のレーダ装置が構成されている。そして、センシング制御装置３００によって、本発明のレーダ装置における光源制御装置が構成されている。
【００９１】
以上説明したように、本実施形態に係る光偏向素子２４０によると、入射された光を、印加電圧に応じてＸＹ面内（第１の面内）で偏向する周期分極反転構造体２５０（第１の偏向部）、及びＸＺ面内（第２の面内）において、周期分極反転構造体２５０を通過した光を該光の波長に応じて偏向するグレーティング２６０（第２の偏向部）を有している。
【００９２】
この場合は、ＸＺ面内において、従来よりも大きな偏向角で光束を射出することができる。また、ＭｇＯが添加されたニオブ酸リチウム（ＬｉＮｂＯ３）結晶の板状部材であるコア層２４５に周期分極反転構造体２５０とグレーティング２６０を設けることが容易にできる。すなわち、集積化が容易で、導波路面に交差する面内で大きな偏向角を得ることができる。
【００９３】
また、周期分極反転構造体２５０を有するコア層２４５に、グレーティング２６０が形成されているため、周期分極反転構造体２５０とグレーティング２６０の位置合わせが不要である。
【００９４】
また、上記特許文献２（特開昭５８−１３０３２７号公報）と異なり、光をＸＺ面内で偏向させるのに、外部から電力を供給する必要はない。すなわち、低消費電力で光を２次元的に偏向することができる。
【００９５】
また、光偏向素子２４０からの射出角は、点灯させる光源を切り替えることにより変更することができるため、非常に高速で光偏向素子２４０からの射出角を制御することができる。
【００９６】
また、電圧制御装置２３０からの印加電圧と点灯させる光源を指定することにより、光偏向素子２４０から射出される光の射出方向を非常に高速で任意の方向に向けることができる。
【００９７】
また、電圧制御装置２３０からの印加電圧と点灯させる光源を制御することにより、指定された範囲内に光を射出することができる。
【００９８】
また、本実施形態に係る前方監視装置１０によると、互いに波長が異なる光束を射出する３つの半導体レーザ（２２１ａ、２２１ｂ、２２１ｃ）を有する光源装置２２０と、該光源装置２２０からの光が入射される光偏向素子２４０と、該光偏向素子２４０の上部電極２４７に印加する電圧を制御する電圧制御装置２３０とを備えている。そこで、大型化及び高コスト化を招くことなく、レーザ光の射出角を２次元的に大きく変化させることができる。
【００９９】
また、本実施形態に係る前方監視装置１０によると、光偏向素子２４０から射出され、物体で反射された光を受光する受光器３５０と、光偏向素子２４０からの光の射出方向及び受光器３５０の出力信号に基づいて、物体の位置情報を求めるセンシング制御装置３００とを備えている。この場合は、大型化及び高コスト化を招くことなく、広い範囲をセンシングすることができる。
【０１００】
また、指定した方向及び指定した範囲に光偏向素子２４０から光を射出することができるため、危険が予想される範囲を重点的にセンシングすることが可能である。
【０１０１】
なお、上記実施形態では、光源装置２２０の３つの半導体レーザ（２２１ａ、２２１ｂ、２２１ｃ）が順に点灯される場合について説明したが、これに限定されるものではない。例えば、３つの半導体レーザ（２２１ａ、２２１ｂ、２２１ｃ）が同時に点灯されても良い（図２１参照）
【０１０２】
但し、この場合には、前記受光器３５０に代えて、一例として図２２に示されるように、波長毎に受光素子を備えた受光器３５０Ａが用いられる。この受光器３５０Ａは、３つのバンドパスフィルタ（ＢＰＦ１、ＢＰＦ２、ＢＰＦ３）及び３つの受光素子（ＰＤ１、ＰＤ２、ＰＤ３）を有している。
【０１０３】
バンドパスフィルタＢＰＦ１は、中心波長がλ１の狭帯域のバンドパスフィルタであり、バンドパスフィルタＢＰＦ２は、中心波長がλ２の狭帯域のバンドパスフィルタであり、バンドパスフィルタＢＰＦ３は、中心波長がλ３の狭帯域のバンドパスフィルタである。
【０１０４】
受光素子ＰＤ１は、バンドパスフィルタＢＰＦ１を透過した光束を受光し、受光素子ＰＤ２は、バンドパスフィルタＢＰＦ２を透過した光束を受光し、受光素子ＰＤ３は、バンドパスフィルタＢＰＦ３を透過した光束を受光する。
【０１０５】
この場合は、センシング制御装置３００での前記監視データの取得の高速化を図ることができる。
【０１０６】
さらに、この場合に、前記３つのバンドパスフィルタ（ＢＰＦ１、ＢＰＦ２、ＢＰＦ３）に代えて、一例として図２３に示されるように、回折格子３５１を用いても良いし、一例として図２４に示されるように、プリズム３５２を用いても良い。
【０１０７】
また、上記実施形態では、光源装置２２０が３つの半導体レーザ（２２１ａ、２２１ｂ、２２１ｃ）を有する場合について説明したが、これに限定されるものではない。
【０１０８】
例えば、図２５に示されるように、３つの半導体レーザ（２２１ａ、２２１ｂ、２２１ｃ）に代えて、互いに波長が異なる光束を射出する３つの発光部を有する半導体レーザ２２１Ａを用いても良い。そして、３つのカップリングレンズ（２２３ａ、２２３ｂ、２２３ｃ）に代えて、それらが一体化されたカップリングレンズ２２３を用いても良い。
【０１０９】
また、一例として図２６に示されるように、３つの半導体レーザ（２２１ａ、２２１ｂ、２２１ｃ）に代えて、射出される光束の波長を変化させることができる波長可変レーザ２２１Ｂを用いても良い。波長可変レーザとしては、分布帰還型（ＤＦＢ）レーザ、分布ブラッグ反射型（ＤＢＲ）レーザ、Ｌｉｔｔｒｏｗ構成の波長可変レーザなどが使用可能であるが、電流制御及び温度制御が可能なＤＦＢレーザあるいはＤＢＲレーザが好ましい。
【０１１０】
この場合に、例えば、電流制御により発振波長を６５０ｎｍから６６０ｎｍまで変化できるＤＢＲレーザを用いると、光偏向素子２４０から射出される光束の、ＸＺ平面内でのＸ軸方向に対する角度θｚを８０°〜８５°とすることができる。すなわち、ＸＺ平面内での偏向角（ふれ角）を５°とすることができる。
【０１１１】
ＤＢＲレーザから射出される波長は、注入する電流により連続的に変化させることができる。そのため、グレーティング２６０による偏向角を連続的に変化させることが可能になる。ところで、ＸＹ平面内に関しては、上部電極２４７への印加電圧により連続的に偏向させることができるため、波長可変レーザを使用することにより、Ｙ軸方向及びＺ軸方向のいずれに対しても傾斜した方向に沿って、光を射出することができる。すなわち、２次元面内全体を連続的に走査することが可能となる。
【０１１２】
また、上記実施形態において、光源装置２２０が互いに発振波長が異なる４つ以上の半導体レーザを有していても良い。
【０１１３】
また、上記実施形態では、周期分極反転構造体２５０における自発分極の方向が互いに反対である２つの領域（２５０ａ、２５０ｂ）がプリズム状の場合について説明したが、これに限定されるものではない。要するに、印加電圧に応じて光を導波路面内で偏向することができれば良い。
【０１１４】
また、上記実施形態では、上部電極２４７への印加電圧が、−１５０［Ｖ］〜＋１５０［Ｖ］の場合について説明したが、これに限定されるものではない。周期分極反転構造体２５０の特性、及び必要な偏向角に応じて、上部電極２４７への印加電圧を設定すれば良い。
【０１１５】
また、上記実施形態では、λ１＝７４０ｎｍ、λ２＝７８０ｎｍ、λ３＝８２０ｎｍの場合について説明したが、これに限定されるものではない。ＸＺ平面内での必要な偏向角（ふれ角）に応じて設定することができる。例えば、λ１＝７５０ｎｍ、λ２＝７８０ｎｍ、λ３＝８１０ｎｍとしても良い。この場合は、ＸＺ平面内での偏向角（ふれ角）θ１３＝９．７°となる。また、λ１＝６８０ｎｍ、λ３＝８８０ｎｍの場合には、ＸＺ平面内での偏向角（ふれ角）θ１３は約３５°となる。
【０１１６】
また、上記実施形態では、前方監視装置１０が１つのレーザレーダ２０を備える場合について説明したが、これに限定されるものではない。車両の大きさ、監視領域などに応じて、複数のレーザレーダ２０を備えても良い。
【０１１７】
また、上記実施形態では、レーザレーダ２０が車両の進行方向（前方）を監視する前方監視装置１０に用いられた場合について説明したが、これに限定されるものではない。例えば、車両の後方を監視する装置に用いられても良い。
【０１１８】
さらに、レーザレーダ２０は、車載用以外のセンシング装置にも用いることができる。この場合には、主制御装置４０は、センシングの目的に応じたアラーム情報を出力する。
【０１１９】
また、レーザレーダ２０は、センシング装置以外の用途（例えば、計測装置）にも用いることができる。
【０１２０】
また、光偏向素子２４０は、レーザレーダ以外の用途（例えば、医療用装置）にも用いることができる。
【産業上の利用可能性】
【０１２１】
以上説明したように、本発明のセンシング装置によれば、大型化及び高コスト化を招くことなく、広い範囲をセンシングするのに適している。
【符号の説明】
【０１２２】
１…車両、１０…前方監視装置（センシング装置）、２０…レーザレーダ、４０…主制御装置（監視制御装置の一部）、５０…メモリ、６０…音声・警報発生装置（監視制御装置の一部）、２２１ａ〜２２１ｃ…半導体レーザ（レーザ光源）、２３０…電圧制御装置、２４０…光偏向素子、２５０…周期分極反転構造体（第１の偏向部）、２６０…グレーティング（第２の偏向部）、３００…センシング制御装置（光源制御装置、信号処理装置）。
【先行技術文献】
【特許文献】
【０１２３】
【特許文献１】特開昭５８−１２５０２３号公報
【特許文献２】特開昭５８−１３０３２７号公報
【特許文献３】特開２０００−３３０１４３号公報
【図２】
0005408539.tif 000002
【図３】
0005408539.tif 000003
【図４】
0005408539.tif 000004
【図５】
0005408539.tif 000005
【図６】
0005408539.tif 000006
【図７】
0005408539.tif 000007
【図８】
0005408539.tif 000008
【図９】
0005408539.tif 000009
【図１０】
0005408539.tif 000010
【図１１】
0005408539.tif 000011
【図１２】
0005408539.tif 000012
【図１３】
0005408539.tif 000013
【図１４】
0005408539.tif 000014
【図１５】
0005408539.tif 000015
【図１６】
0005408539.tif 000016
【図１７】
0005408539.tif 000017
【図１８】
0005408539.tif 000018
【図１９】
0005408539.tif 000019
【図２０】
0005408539.tif 000020
【図２１】
0005408539.tif 000021
【図２２】
0005408539.tif 000022
【図２３】
0005408539.tif 000023
【図２４】
0005408539.tif 000024
【図２５】
0005408539.tif 000025
【図２６】
0005408539.tif 000026
【図１】
0005408539.tif 000027